(57)【要約】【課題】グリップ部が作業の邪魔にならないようにした間接活線作業用絶縁操作棒及び間接活線工具を提供する。【解決手段】この間接活線作業用絶縁操作棒１００は、先端工具２０が先端部に取り付けられる主軸部１１０と、主軸部１１０と同方向に延びるように主軸部１１０の基端部に連設されたグリップ部１２０とを備えている。グリップ部１２０は、伸縮可能とされている。グリップ部１２０は、主軸部１１０に固定される主グリップ部１２１と、主グリップ部１２１から出退する補助グリップ部１２２とを備えている。間接活線工具は、間接活線作業用絶縁操作棒１００と、先端工具２０とを備えている。【選択図】図１
2016025726.tif 000002
【特許請求の範囲】
【請求項１】
先端工具が先端部に取り付けられる主軸部と、該主軸部と同方向に延びるように主軸部の基端部に連設され、作業者に把持されるグリップ部とを備えた絶縁性の間接活線作業用絶縁操作棒であって、
前記グリップ部は、伸縮可能とされていることを特徴とする間接活線作業用絶縁操作棒。
【請求項２】
前記グリップ部は、前記主軸部に固定される主グリップ部と、該主グリップ部から出退する補助グリップ部とを備えていることを特徴とする請求項１に記載の間接活線作業用絶縁操作棒。
【請求項３】
前記主グリップ部又は補助グリップ部の一方が筒状体に形成されて、他方が筒状体内に挿入可能な棒状に形成されていることを特徴とする請求項２に記載の間接活線作業用絶縁操作棒。
【請求項４】
請求項１ないし３のいずれか一項に記載の間接活線作業用絶縁操作棒と、該絶縁操作棒の先端部に取り付けられた先端工具とを備えていることを特徴とする間接活線工具。
【請求項５】
前記先端工具は、樹脂製とされていることを特徴とする請求項４に記載の間接活線工具。
【請求項６】
前記先端工具は、固定把持片と回動把持片とを備え、回動把持片が固定把持片に対して開閉するように連結した把持具であることを特徴とする請求項４又は５に記載の間接活線工具。
【発明の詳細な説明】
【技術分野】
【０００１】
本発明は、高圧の架空配電線などの間接活線作業において使用される間接活線作業用絶縁操作棒及び間接活線工具に関する。
【背景技術】
【０００２】
高圧の架空配電線などの間接活線作業（工事）を安全かつ効率よく行うことができるようにした間接活線工具が種々提供されている。この種の間接活線工具は、図２に示すように、間接活線作業用絶縁操作棒（以下、主として「絶縁操作棒」という。）１０、先端工具２０、連結棒３０、操作部４０を備えている（例えば、特許文献１参照）。
【０００３】
絶縁操作棒１０は、樹脂などの絶縁材料によって棒状に形成された主軸部１１であって、先端側の主軸部１１と、この主軸部１１と同方向に延びるグリップ部１２であって、主軸部１１に連設されたグリップ部１２とを備えている。グリップ部１２は、作業者の両手がグリップ部１２の長手方向に間隔をあけて握ることができる長さを有している。
【０００４】
主軸部１１の中間部には、水切りつば５１が固定されている。主軸部１１の基端部、すなわち、グリップ部１２との境界付近には、安全限界つば５２が固定されている。グリップ部１２の先端部、すなわち、主軸部１１との境界付近には、操作部４０が固定されている。操作部４０は、グリップ部１２に固定される支持部４１と、支持部４１から突出した操作レバー４２及び突出部４３とを備えている。
【０００５】
また、先端工具２０は、絶縁操作棒１０の先端部に取り付けられたヤットコなどの把持具であり、被把持物（図示せず）を把持する固定把持片２１と回動把持片２２とを備えている。先端工具２０は、アルミニウム合金のような金属で形成されている。この先端工具２０の先端から前記安全限界つば５２までの長さ（安全限界距離）は、例えば６００ｍｍ以上とされている。
【０００６】
連結棒３０は、樹脂などの絶縁材料によって棒状に形成され、絶縁操作棒１０の主軸部１１に沿って配置されている。連結棒３０の先端部に先端工具２０の回動把持片２２が連結され、連結棒３０の基端部に操作部４０の突出部４３が連結されている。
【０００７】
作業者が操作レバー４２を握り込むことで、連結棒３０が先端側から基端側へ長さ方向に移動し、先端工具２０の回動把持片２２が閉じた状態になり、固定把持片２１とによって被把持物を把持する。操作レバー４２が握り込まれないと、連結棒３０が基端側から先端側へ長さ方向に移動し、回動把持片２２が開いた状態になって、被把持物が先端工具２０から解放される。
【先行技術文献】
【特許文献】
【０００８】
【特許文献１】特開２０１４−３８６７号公報
【発明の概要】
【発明が解決しようとする課題】
【０００９】
間接活線工具に備えられた絶縁操作棒１０は、作業者がグリップ部１２の先端部を把持した状態でグリップ部１２の基端部を脇に挟んで使用される。しかし、このようなグリップ部１２は、長すぎて間接活線工具を使用しての作業の邪魔になることがある。
【００１０】
そこで、本発明は、グリップ部が作業の邪魔にならないようにした間接活線作業用絶縁操作棒及び間接活線工具を提供することを課題とする。
【課題を解決するための手段】
【００１１】
本発明に係る間接活線作業用絶縁操作棒は、先端工具が先端部に取り付けられる主軸部と、該主軸部と同方向に延びるように主軸部の基端部に連設され、作業者に把持されるグリップ部とを備えた絶縁性の間接活線作業用絶縁操作棒であって、前記グリップ部は、伸縮可能とされていることを特徴としている。
【００１２】
この間接活線作業用絶縁操作棒によれば、先端工具が先端部に取り付けられる主軸部にグリップ部が連設され、このグリップ部が伸縮可能とされることにより、グリップ部が最大長に伸長した状態において、１人の作業者がグリップ部の基端部を脇に挟んだり、２人の作業者が共同使用したりすることができる。また、最大長に伸長したグリップ部が作業の邪魔になるときは、グリップ部が最短長に短縮した状態として、片手で持ったり、基端部を肘に当てたりして使用し、作業性を向上させることができる。
【００１３】
ここで、本発明に係る間接活線作業用絶縁操作棒の一態様として、前記グリップ部は、前記主軸部に固定される主グリップ部と、該主グリップ部から出退する補助グリップ部とを備えている構成を採用することができる。
【００１４】
この間接活線作業用絶縁操作棒によれば、グリップ部が主グリップ部と補助グリップ部との組み合わせとされ、補助グリップ部が主グリップ部から出退することで、グリップ部をシンプルな機構で伸縮可能とすることができる。
【００１５】
この場合、前記主グリップ部又は補助グリップ部の一方が筒状体に形成されて、他方が筒状体内に挿入可能な棒状に形成されている構成を採用することができる。
【００１６】
この間接活線作業用絶縁操作棒によれば、筒状体に形成された主グリップ部又は補助グリップ部内に軸状体又は筒状体に形成された補助グリップ部又は主グリップ部が挿入されることで、補助グリップ部を主グリップ部と同方向に容易に伸縮させることができる。
【００１７】
また、本発明に係る間接活線工具は、前記いずれかの間接活線作業用絶縁操作棒と、該絶縁操作棒の先端部に取り付けられた先端工具とを備えていることを特徴としている。
【００１８】
この間接活線工具によれば、伸縮するグリップ部を備えた間接活線作業用絶縁操作棒と先端工具とを備え、先端工具を操作しやすいようにグリップ部の長さを調整することができる。
【００１９】
また、本発明に係る間接活線工具の一態様として、前記先端工具は、樹脂製とされている構成を採用することができる。この間接活線作業用絶縁操作棒によれば、先端工具が樹脂製とされることで、金属製の先端工具よりも軽量化され、作業者の負担を軽減することができる。そして、この間接活線工具は、間接活線作業用絶縁操作棒のグリップ部が伸縮することで、先端工具を操作する作業性が向上する。
【００２０】
また、本発明に係る間接活線工具の他態様として、前記先端工具は、固定把持片と回動把持片とを備え、回動把持片が固定把持片に対して開閉するように連結した把持具である構成を採用することができる。
【発明の効果】
【００２１】
本発明によれば、グリップ部が作業の邪魔にならないようにした間接活線作業用絶縁操作棒及び間接活線工具を提供することができる。
【図面の簡単な説明】
【００２２】
【図１】図１は、本発明に係る間接活線作業用絶縁操作棒及び間接活線工具の一実施形態を示し、（ａ）は短縮している状態の正面図、（ｂ）は伸長している状態の正面図である。
【図２】図２は、従来の間接活線作業用絶縁操作棒及び間接活線工具の一例を示す正面図である。
【発明を実施するための形態】
【００２３】
本発明に係る間接活線作業用絶縁操作棒及び間接活線工具の一実施形態について図１を参照しながら説明する。この間接活線工具は、間接活線作業用絶縁操作棒（以下、「絶縁操作棒」という。）１００、先端工具２０、連結棒３０、操作部４０を備えている。
【００２４】
絶縁操作棒１００は、先端工具２０が先端部に取り付けられる主軸部１１０と、該主軸部１１０と同方向に延びるように主軸部１１０の基端部に連設され、作業者に把持されるグリップ部１２０とを備え、樹脂などの絶縁材料によって棒状に形成されている。グリップ部１２０は、伸縮可能とされている。
【００２５】
グリップ部１２０は、主軸部１１０に固定される主グリップ部１２１と、該主グリップ部１２１から出退する補助グリップ部１２２とを備えている。主グリップ部１２１は、筒状体に形成され、補助グリップ部１２２は、主グリップ部１２１内に挿入可能な棒状に形成されている。主グリップ部１２１の外径は、主軸部１１０と同じ外径ないしほぼ同じ外径とされている。
【００２６】
補助グリップ部１２２が主グリップ部１２１内に退入したときのグリップ部１２０の最短長は、主軸部１１０の長さ以下とされている。ただし、グリップ部１２０の主グリップ部１２１は、作業者の両手がグリップ部１２０の長手方向に隣り合って把持できる長さを有している。
【００２７】
また、補助グリップ部１２２は、主グリップ部１２１内に挿入された状態において、主グリップ部１２１内に完全に入り込まないようにされている。例えば、補助グリップ部１２２の基端部に拡径部１２２ａが設けられ、拡径部１２２ａが主グリップ部１２１の基端部に当接することで、補助グリップ部１２２が主グリップ部１２１内に入り込まないようにされる。あるいは、補助グリップ部１２２が主グリップ部１２１よりも長くされ、補助グリップ部１２２の先端部が主グリップ部１２１内の奥端部に入り込んでも、補助グリップ部１２２の基端部が主グリップ部１２１の基端部よりも突出するようにされている。
【００２８】
また、補助グリップ部１２２が主グリップ部１２１から完全に突出した状態において、補助グリップ部１２２が周方向に回転しないようにするロック機構（図示せず）がグリップ部１２０に備えられている。ただし、ロック機構は、必ずしも備えられなくてもよい。また、主グリップ部１２１の基端部には、表示シール１２３が巻かれている。
【００２９】
先端工具２０は、樹脂材料で形成され、軽量化されている。この先端工具２０は、固定把持片２１と回動把持片２２とを備え、ピンで連結されることで回動把持片２２が固定把持片２１に対して開閉するヤットコなどの把持具とされる。
【００３０】
そして、主軸部１１０は、樹脂などの絶縁材料によって棒状に形成されている。主軸部１１０の基端部、すなわち、グリップ部１２０との境界付近には、安全限界つば５２が固定されている。先端工具２０から安全限界つば５２までの距離（安全限界距離）は、例えば６００ｍｍ以上とされている。主軸部１１０の中間部には、水切りつば５１が固定されている。
【００３１】
そして、主グリップ部１２１の先端部には、操作部４０が固定されている。操作部４０は、支持部４１、操作レバー４２、突出部４３を備えている。支持部４１が主グリップ部１２１に固定される。突出部４３は、支持部４１から突出し、連結棒３０の基端部が連結されている。連結棒３０は、主軸部１１０に沿って配置され、先端部に先端工具２０の回動把持片２２が連結されている。
【００３２】
ここで、間接活線工具の使用方法について説明する。間接活線工具に備えられた絶縁操作棒１００の先端部には、軽量化された先端工具２０が取り付けられている。先端工具２０の回動把持片２２は、操作部４０の操作レバー４２を操作することによって開閉する。操作レバー４２は、作業者がグリップ部１２０を把持することで操作される。
【００３３】
グリップ部１２０は、図１（ａ）に示すように、補助グリップ部１２２が主グリップ部１２１内に退入し、最短長とした状態で、作業者は、グリップ部１２０の主グリップ部１２１を片手で把持し、操作部４０の操作レバー４２を握り込むことができる。ただし、作業者は、両手で主グリップ部１２０を把持してもよい。
【００３４】
いずれにしても、この絶縁操作棒１００は、主グリップ部１２１から補助グリップ部１２２が突出していないため、補助グリップ部１２２が作業の邪魔にならない。また、補助グリップ部１２２の基端部が作業者の肘に当たり、間接活線工具の操作性が向上する。
【００３５】
そして、この絶縁操作棒１００は、図１（ｂ）に示すように、補助グリップ部１２２を主グリップ部１２１から突出させることで、グリップ部１２０を最大長とすることができる。この最大長となったグリップ部１２０は、１人の作業者が片手で主グリップ部１２１を把持し、伸長した補助グリップ部１２２の基端部を同じ腕の脇に嵌めることで、他方の手を自由に使用することができる。
【００３６】
また、作業者は、一方の手で主グリップ部１２１を把持し、他方の手で突出した補助グリップ部１２２を把持することができる。また、最大長とされたグリップ部１２０は、２人の作業者によって把持されることができる。このように、この絶縁操作棒１００は、使用状況に応じて、グリップ部１２０を伸縮することができる。
【００３７】
なお、本発明は、前記実施の形態に限定することなく種々変更することができる。例えば、上記実施の形態では、主グリップ部１２１を筒状とし、補助グリップ部１２２を軸状としたが、主グリップ部１２１を軸状とし、補助グリップ部１２２を筒状としてもよい。
【００３８】
また、上記実施の形態では、一つの主グリップ部１２１と一つの補助グリップ部１２２の２段としたが、補助グリップ１２２を複数段とし、グリップ部１２０の長さを細かく調整するようにしてもよい。
【００３９】
また、上記実施の形態では、間接活線工具は、主軸部１１０の先端部に取り付けられる先端工具２０として、樹脂製のヤットコのような把持具としたが、金属製の把持具であってもよいし、鉤状の固定部や、固定部に切離する可動部などを備えた把持具であってもよい。さらに、先端工具２０は、把持具でなく、電線被覆剥取器であってもよい。
【００４０】
また、絶縁操作棒１００は、主軸部１１０の先端部に固定されるものに限らず、着脱して交換可能な共用操作棒であってもよい。
【符号の説明】
【００４１】
２０……先端工具
２１……固定把持片
２２……回動把持片
１００…間接活線作業用絶縁操作棒（絶縁操作棒）
１１０…主軸部
１２０…グリップ部
１２１…主グリップ部
１２２…補助グリップ部
【図１】
2016025726.tif 000003
【図２】
2016025726.tif 000004
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
先端工具が先端部に取り付けられる主軸部と、該主軸部に同方向に延びるように主軸部の基端部に連設され、作業者に把持されるグリップ部とを備えた絶縁性の間接活線作業用絶縁操作棒であって、
前記グリップ部は、前記主軸部に固定される主グリップ部と、該主グリップ部から出退する補助グリップ部とを備え、補助グリップ部が主グリップ部に退入したときのグリップ部の最短長は、主グリップ部を片手で把持した状態で、グリップ部の基端部が前記作業者の肘に当接可能な長さで、且つ補助グリップ部が主グリップ部から突出したときのグリップ部の最大長は、主グリップ部を片手で把持した状態で、補助グリップ部の基端部が前記作業者の脇に嵌めることが可能な長さに設定されていることを特徴とする間接活線作業用絶縁操作棒。
【請求項２】
前記主グリップ部又は補助グリップ部の一方が筒状体に形成されて、他方が筒状体内に挿入可能な棒状に形成されていることを特徴とする請求項１に記載の間接活線作業用絶縁操作棒。
【請求項３】
請求項１又は２に記載の間接活線作業用絶縁操作棒と、該絶縁操作棒の先端部に取り付けられた先端工具とを備えていることを特徴とする間接活線工具。
【請求項４】
前記先端工具は、樹脂製とされていることを特徴とする請求項３に記載の間接活線工具。
【請求項５】
前記先端工具は、固定把持片と回動把持片とを備え、回動把持片が固定把持片に対して開閉するように連結した把持具であることを特徴とする請求項３又は４に記載の間接活線工具。
【手続補正２】
【補正対象書類名】明細書
【補正対象項目名】００１１
【補正方法】変更
【補正の内容】
【００１１】
本発明に係る間接活線作業用絶縁操作棒は、先端工具が先端部に取り付けられる主軸部と、該主軸部と同方向に延びるように主軸部の基端部に連設され、作業者に把持されるグリップ部とを備えた絶縁性の間接活線作業用絶縁操作棒であって、前記グリップ部は、前記主軸部に固定される主グリップ部と、該主グリップ部から出退する補助グリップ部とを備え、補助グリップ部が主グリップ部に退入したときのグリップ部の最短長は、主グリップ部を片手で把持した状態で、グリップ部の基端部が前記作業者の肘に当接可能な長さで、且つ補助グリップ部が主グリップ部から突出したときのグリップ部の最大長は、主グリップ部を片手で把持した状態で、補助グリップ部の基端部が前記作業者の脇に嵌めることが可能な長さに設定されていることを特徴としている。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、グリップ部が主グリップ部と補助グリップ部との組み合わせとされ、補助グリップ部が主グリップ部から出退することで、グリップ部をシンプルな機構で伸縮可能とすることができる。